(57)【要約】      （修正有）【課題】天井面のみならず、天井梁材にも安定的に取り付けることができる照明装置を提供する。【解決手段】照明装置１は、天井面または天井梁材Ｒに取り付けられる長尺状のベース部材１０と、ベース部材１０を覆うようにベース部材１０に着脱自在に装着され、光源部４０が設けられている長尺状のフレーム部材２０と、光源部４０を覆うようにフレーム部材２０に取り付けられ、光拡散性を有するカバー部材３０と、を備える。ベース部材１０が当接部１１１ａ、１１１ｂを有するとともに、フレーム部材２０が当接部１１１ａ、１１１ｂに対応する位置に被当接部２２２ａ、２２２ｂを有する。ベース部材１０が天井梁材Ｒに取り付けられる場合においては、フレーム部材２０をベース部材１０に装着した際に、フレーム部材２０の被当接部２２２ａ、２２２ｂにベース部材１０の当接部１１１ａ、１１１ｂが当接する。【選択図】図２
2018049841.tif 000002
【特許請求の範囲】
【請求項１】
天井面または天井梁材に取り付けられる長尺状のベース部材と、
前記ベース部材を覆うように前記ベース部材に着脱自在に装着され、光源部が設けられている長尺状のフレーム部材と、
前記光源部を覆うように前記フレーム部材に取り付けられ、光拡散性を有するカバー部材と、を備え、
前記ベース部材が当接部を有するとともに、前記フレーム部材が前記当接部に対応する位置に被当接部を有し、
前記ベース部材が前記天井梁材に取り付けられる場合においては、前記フレーム部材を前記ベース部材に装着した際に、前記フレーム部材の前記被当接部に前記ベース部材の前記当接部が当接し、
前記ベース部材が前記天井面に取り付けられる場合においては、前記フレーム部材を前記ベース部材に装着した際に、前記フレーム部材の前記被当接部と前記ベース部材の前記当接部とが当接するかしないかに影響を受けることなく、前記フレーム部材の上端部が前記天井面に当接するように前記当接部と前記被当接部とが構成されていることを特徴とする照明装置。
【請求項２】
前記当接部が前記ベース部材の側面に設けられていることを特徴とする、請求項１に記載の照明装置。
【請求項３】
前記被当接部が前記フレーム部材の内側面に設けられていることを特徴とする、請求項１又は２に記載の照明装置。
【請求項４】
前記当接部が前記ベース部材の長手方向全長に亘って設けられているとともに、前記被当接部が前記フレーム部材の長手方向全長に亘って設けられていることを特徴とする、請求項１〜３のいずれか１項に記載の照明装置。
【請求項５】
前記当接部が前記ベース部材の側面の端部であり、
前記被当接部が前記フレーム部材の内側面と該内側面に前記ベース部材方向に突出するように形成された第一突出部との間に形成される第一溝部であることを特徴とする請求項４に記載の照明装置。
【請求項６】
前記当接部が前記ベース部材の側面と該側面に前記フレーム部材方向に突出するように形成された第二突出部との間に形成される第二溝部であり、
前記被当接部が前記フレーム部材の内側面に前記ベース部材方向に突出するように形成された第三突出部であることを特徴とする請求項４に記載の照明装置。
【発明の詳細な説明】
【技術分野】
【０００１】
本発明は、光源にＬＥＤを用いた照明装置に関するものであり、特に器具本体とカバーユニットとで構成された天井面に設置される照明装置に関する。
【背景技術】
【０００２】
ＬＥＤを光源とする、天井面に取り付けられた照明器具は、主にベースとなる器具本体と発光部となるカバーユニットとで構成され、カバーユニットにはＬＥＤ実装基板が内蔵される。例えば、特許文献１及び特許文献２には、光源として用いる複数のＬＥＤチップを実装したＬＥＤ実装基板を内蔵したカバーユニットと、天井面への取り付け構造を有し、カバーユニットを保持する器具本体とによって構成される照明装置が開示されている。
【０００３】
このようないわゆるベースライトと呼ばれる照明装置は、通常ベースとなる器具本体（ベース部材）を天井面に設けられたアンカーボルト等に固定し、器具本体にカバーユニットを取り付けると、カバーユニットのフレーム部材の上端部が天井面に当接することで天井面に固定される。具体的には、カバーユニットのフレーム部材の内側に設けられた板ばね等のばね部材を、器具本体に設けた板ばね受け具等の取付部材に挿通し、ばね部材の付勢力・復元力によりフレーム部材が天井面方向に持ち上げられ、フレーム部材の上端部が天井面に当接する。これにより、天井面を利用して安定してカバーユニットを器具本体に取り付け固定された状態を維持することができるようになっている。
【先行技術文献】
【特許文献】
【０００４】
【特許文献１】再表２０１５−１１５５１７号公報
【特許文献２】特開２０１５−１４１７６９号公報
【発明の概要】
【発明が解決しようとする課題】
【０００５】
ところで、このような照明装置の設置場所は必ずしも天井面には限られず、工場や倉庫などではレースウェイと呼ばれる天井梁材に取り付ける場合もある。従来の照明装置であっても、天井面ではなくレースウェイに取り付けること自体は可能であるが、例えばレースウェイの照明装置取付面がフレーム部材の外形よりも小さいと、フレーム部材の上端部を従来の天井面に代えて照明装置取付面に当接させることで照明装置を安定して固定することはできない。その一方で、板ばねの付勢力によりフレーム部材が天井梁材方向に持ち上げられると、器具本体が特に場所が限定されることなくフレーム部材に当たってしまい、両者の取り付け状態が不安定になるおそれがある。また場合によっては、器具本体内に配置された電源ユニットがフレーム部材に接触してしまうおそれや、レースウェイ側から照明装置内に侵入した埃や塵などが器具本体内にまで侵入してしまうおそれもある。
【０００６】
本発明は、このような点に鑑みてなされたものであり、天井面のみならず、天井梁材にも安定的に取り付けることができる照明装置を提供することを目的とする。
【課題を解決するための手段】
【０００７】
上記目的を達成するために、本発明は、天井面または天井梁材に取り付けられる長尺状のベース部材と、前記ベース部材を覆うように前記ベース部材に着脱自在に装着され、光源部が設けられている長尺状のフレーム部材と、前記光源部を覆うように前記フレーム部材に取り付けられ、光拡散性を有するカバー部材と、を備え、前記ベース部材が当接部を有するとともに、前記フレーム部材が前記当接部に対応する位置に被当接部を有し、前記ベース部材が前記天井梁材に取り付けられる場合においては、前記フレーム部材を前記ベース部材に装着した際に、前記フレーム部材の前記被当接部に前記ベース部材の前記当接部が当接し、前記ベース部材が前記天井面に取り付けられる場合においては、前記フレーム部材を前記ベース部材に装着した際に、前記フレーム部材の前記被当接部と前記ベース部材の前記当接部とが当接するかしないかに影響を受けることなく、前記フレーム部材の上端部が前記天井面に当接するように前記当接部と前記被当接部とが構成されていることを特徴とする照明装置を提供する（発明１）。
【０００８】
上記発明（発明１）によれば、照明装置を天井梁材に取り付ける場合には、仮に天井張り材の照明装置取付面がフレーム部材の外形よりも小さく、フレーム部材の上端部を当該照明装置取付面に当接させることで照明装置を安定して固定することができなくとも、ベース部材の当接部とフレーム部材の被当接部とが当接することによりフレーム部材がベース部材に安定的に装着され、その結果照明装置を安定的に天井梁材に取り付けることができる。また、照明装置を天井面に取り付ける場合には、フレーム部材の被当接部とベース部材の当接部とが当接するかしないかに影響を受けることなく、フレーム部材の上端部が天井面に当接することにより、照明装置を安定的に天井面に取り付けることができる。したがって、上記発明（発明１）の照明装置は、天井面のみならず、天井梁材にも安定的に取り付けることができる。
【０００９】
上記発明（発明１）においては、前記当接部が前記ベース部材の側面に設けられていることが好ましい（発明２）。
【００１０】
上記発明（発明２）によれば、ベース部材内に収容される電源ユニット等に干渉することなく、当接部を適切な形状でベース部材に設けることが可能となる。
【００１１】
上記発明（１，２）においては、前記被当接部が前記フレーム部材の内側面に設けられていることが好ましい（発明３）。
【００１２】
上記発明（発明３）によれば、ベース部材や光源部等に干渉することなく、被当接部を適切な形状でフレーム部材に設けることが可能となる。
【００１３】
上記発明（発明１〜３）においては、前記当接部が前記ベース部材の長手方向全長に亘って設けられているとともに、前記被当接部が前記フレーム部材の長手方向全長に亘って設けられていることが好ましい（発明４）。
【００１４】
上記発明（発明４）によれば、ベース部材の当接部がフレーム部材の被当接部に当接することによって照明装置内部に仕切りが形成されるため、照明装置内に侵入した埃や塵などが電源ユニットや光源部にまで侵入してしまうことを防ぐことができる。
【００１５】
上記発明（発明４）においては、前記当接部が前記ベース部材の側面の端部であり、前記被当接部が前記フレーム部材の内側面と該内側面に前記ベース部材方向に突出するように形成された第一突出部との間に形成される第一溝部であってもよいし（発明５）、前記当接部が前記ベース部材の側面と該側面に前記フレーム部材方向に突出するように形成された第二突出部との間に形成される第二溝部であり、前記被当接部が前記フレーム部材の内側面に前記ベース部材方向に突出するように形成された第三突出部であってもよい（発明６）。
【発明の効果】
【００１６】
本発明の照明装置によれば、天井面のみならず、天井梁材にも安定的に取り付けることができる。
【図面の簡単な説明】
【００１７】
【図１】本発明の一実施形態に係る照明装置の構成を示す斜視図である。
【図２】同実施形態に係る照明装置の構成を示す断面図である。
【図３】同実施形態に係る照明装置のフレーム部材をベース部材から取り外した状態を示す説明図である。
【図４】（ａ）は同実施形態に係る照明装置をレースウェイに取り付けた状態を示す断面模式図であり、（ｂ）は同照明装置を天井面に取り付けた状態を示す断面模式図である。
【図５】同実施形態に係る照明装置の変形例を示す断面模式図である。
【発明を実施するための形態】
【００１８】
以下、本発明の実施形態を図面に基づいて詳細に説明する。図１は本発明の一実施形態に係る照明装置１の構成を示す斜視図であり、図２は同構成を示す断面図であり、図３は照明装置１のフレーム部材２０をベース部材１０から取り外した状態を示す説明図である。なお、図２では、照明装置１をレースウェイＲに取り付けた状態が示されている。また、図４及び図５では、内部構造等を省略した模式図として照明装置１を示している。
【００１９】
照明装置１は、レースウェイＲ（又は天井面Ｃ）に取り付けられる長尺状のベース部材１０と、ベース部材１０に着脱自在に装着される長尺状のフレーム部材２０と、フレーム部材に取り付けられる光拡散性を有するカバー部材３０とを備える。フレーム部材２０の底面２１には、光源として用いる複数のＬＥＤ４１を実装した長尺状の実装基板４０が光源部としてフレーム部材２０の長手方向に沿って取り付けられており、実装基板４０には複数のＬＥＤ４１が長さ方向に等間隔に実装されている。
【００２０】
ベース部材１０は、幅方向に見て左右が垂直部（側面）１１ａ、１１ｂ、レースウェイＲ側が水平部１２となった断面が略コ字状に長さ方向に伸延する長尺状の部材であり、例えば一枚の金属板により作製される。ベース部材１０は、ボルト等を用いてレースウェイＲに取り付けて固定させることができる。また、ベース部材１０は、その水平部１２に開けられた穴から木ねじで固定したり、または天井面Ｃからのアンカーボルト（不図示）にナット（不図示）を螺合したりすることによって天井面Ｃに取り付けて固定させることもできる。
【００２１】
ベース部材１０の垂直部１１ａ、１１ｂ及び水平部１２で形成される空間には、発光部（ＬＥＤ４１を実装した実装基板４０）に電力を供給する電源ユニット５０や、フレーム部材２０をベース部材１０に着脱自在に取り付けるための取付構造（後述）が収納される。ベース部材１０の両端部にはそれぞれ側板１３がビス止め、差込（スナップフィット）固定等の取付手段により取り付けられている。
【００２２】
ベース部材１０の垂直部１１ａ、１１ｂの端部１１１ａ、１１１ｂは、それぞれ水平部１２方向に折り返されて強度が高められており、端部１１１ａ、１１１ｂは当接部の一例である。当接部となる端部１１１ａ、１１１ｂは、ベース部材１０の長手方向全長に亘って設けられている。
【００２３】
フレーム部材２０は、幅方向に見て左右が傾斜側面２２ａ、２２ｂ、床側が天井面Ｃに平行な底面２１となった断面が略Ｃ字状に長さ方向に伸延する長尺状の部材であり、例えば一枚の金属板により作製される。傾斜側面２２ａ、２２ｂは底面２１に連続しており、それぞれ天井面Ｃに当接する端部近傍のみが天井面Ｃに対して垂直になるよう角度を変えて形成されている（図２では天井面ＣではなくレースウェイＲに照明装置１を取り付けているため、天井面Ｃが表れていない）。フレーム部材２０は、ベース部材１０とほぼ同じに長さ方向に伸延しており、取付構造（後述）を介してベース部材１０に着脱自在に取り付けられる。
【００２４】
フレーム部材２０の底面２１には、床側に向けて複数のＬＥＤ４１が実装された実装基板４０が光源部として取り付けられている。実装基板４０のフレーム部材２０への取付方法は特に限定されるものではなく、例えば底面２１に公知の固定手段（ビス止め、接着剤、等）を用いて直接取り付けられていてもよいし、実装基板４０を横方向からスライド挿入可能なスロットを底面２１に形成して取り付けてもよいし、基板ホルダのような別部材を介して取り付けられていてもよい。
【００２５】
また、フレーム部材２０の底面２１には、実装基板４０を覆うようにカバー部材３０が取り付けられている。カバー部材３０のフレーム部材２０への取付方法は特に限定されるものではなく、例えば図２に示すように、底面２１において実装基板４０の左右両側に形成された取付溝部２１１ａ、２１１ｂに、カバー部材３０の上端部に形成された取付爪部３１ａ、３１ｂを嵌合させることで、カバー部材３０をフレーム部材２０へと取り付けてもよいし、取付溝部２１１ａ、２１１ｂに取付爪部３１ａ、３１ｂを横方向からスライド挿入させることで、カバー部材３０をフレーム部材２０へと取り付けてもよい。カバー部材３０をフレーム部材２０に取り付けた状態でカバー部材３０の両端部にそれぞれ側板２３がビス止め、差込（スナップフィット）固定等の取付手段で取り付けられ、フレーム部材２０とカバー部材３０とが一体化される。
【００２６】
フレーム部材２０の内側面、すなわち傾斜側面２２ａ、２２ｂの内側にはベース部材１０方向に突出するように突出部２２１ａ、２２１ｂが形成されている。突出部２２１ａ、２２１ｂが形成されていることにより、傾斜側面２２ａと突出部２２１ａとの間には溝部２２２ａが、傾斜側面２２ｂと突出部２２１ｂとの間には溝部２２２ｂがそれぞれ形成され、溝部２２２ａ、２２２ｂは被当接部の一例である。突出部２２１ａ、２２１ｂはフレーム部材２０の長手方向全長に亘って設けられているため、被当接部となる溝部２２２ａ、２２２ｂもフレーム部材２０の長手方向全長に亘って設けられていることとなる。
【００２７】
ここで、本実施形態に係る照明装置１では、フレーム部材２０の傾斜側面２２ａ、２２ｂの上端部から突出部２２１ａ、２２１ｂまでの垂直方向距離Ｌ１が、ベース部材１０の垂直部１１ａ、１１ｂの垂直方向長さＬ２よりも大きくなるように設計されている。
【００２８】
カバー部材３０は、拡散透過・拡散反射性を有するプラスチック、例えばポリカーボネート（あるいはアクリル）により成形された長尺状の部材であり、ベース部材１０及びフレーム部材２０とほぼ同じに長さ方向に伸延している。カバー部材３０はＬＥＤ４１からの照明光を拡散透過・拡散反射させる。本実施形態に係るカバー部材３０の形状は幅方向断面視で略六角形状となっているが、これに限られるものではなく、照明装置全体の外形や照明装置の用途、光学的な拡散性や発光効率等を考慮して、適宜最適な形に成形されてよい。
【００２９】
フレーム部材２０をベース部材１０に着脱自在に取り付けるための取付構造としては、例えば板ばねやＶ字ばね、コイルばね等のばね部材をフレーム部材２０側に取り付け、ばね部材の一部を掛止するための取付部材をベース部材１０側に取り付けて、ばね部材の復元力、付勢力を用いてフレーム部材２０を上方に引き上げてベース部材１０に固定する構造が知られている。本実施形態における取付構造は、フレーム部材２０の底面２１内側に取り付けられた取付ばね２４と、ベース部材１０の水平部１２に取り付けられた取付金具１４との組み合わせを採用する。
【００３０】
取付金具１４は、中央部に開口１４１が設けられた金属製のプレート状部材であり、ベース部材１０の水平部１２に立設され、ねじ等で固定される。また、取付ばね２４は、一本の金属線から形成されるものであり、金属線が複数回コイル巻きされた巻き部２４１と、巻き部２４１から伸びる金属線を折り曲げてレバー状に形成されたアーム部２４２とからなり、巻き部２４１がフレーム部材２０の底面２１内側に係止部材２５を介して取り付けられる。
【００３１】
取付ばね２４のアーム部２４２をばねの付勢力に逆らう方向に持ち上げ、この状態でアーム部２４２をベース部材１０に固定された取付金具１４の開口１４１に挿し込んでからアーム部２４２を解放すると、ばねの復元力により取付ばね２４が自然状態に戻ろうとし、この復元力によりフレーム部材２０がベース部材１０方向に引き上げられる。この取付ばね２４と取付金具１４とからなる取付構造を少なくとも照明装置１の長手方向両端部近傍の二箇所に設けることにより、フレーム部材２０をベース部材１０に着脱自在にかつ安定的に取り付けることができる。
【００３２】
このような構造を有する照明装置１をレースウェイＲに取り付ける場合、まずベース部材１０がレースウェイＲに固定され、続いて実装基板４０やカバー部材３０等が取り付けられたフレーム部材２０が、取付ばね２４及び取付金具１４からなる取付構造を介してベース部材１０に取り付けられる。このとき、図４（ａ）に示すように、レースウェイＲにフレーム部材２０の傾斜側面２２ａ、２２ｂの上端部が当接するほどレースウェイＲの照明装置取付面は大きくないため、フレーム部材２０は取付ばねの復元力によりベース部材１０方向に引き上げられ続ける。
【００３３】
フレーム部材２０がベース部材１０方向に引き上げられると、最終的にベース部材１０の垂直部１１ａ、１１ｂの端部１１１ａ、１１１ｂがフレーム部材２０の溝部２２２ａ、２２２ｂに当接し、取付ばね２４の付勢力によりフレーム部材２０がベース部材１０へと強く押し付けられて固定される。
【００３４】
ここで、ベース部材１０の垂直部１１ａ、１１ｂの端部１１１ａ、１１１ｂは、ベース部材１０の長手方向全長に亘って設けられており、フレーム部材２０の溝部１１１ａ、１１１ｂもフレーム部材２０の長手方向全長に亘って設けられている。そのため両者が当接することによって照明装置１の内部に仕切りが形成されるため、照明装置１内に侵入した埃や塵などが電源ユニット５０や光源部（実装基板４０やＬＥＤ４１、それらの配線等も含む）にまで侵入してしまうことを防ぐことができる。なお、当接部や被当接部は必ずしもベース部材１０やフレーム部材２０の長手方向全長に亘って設けられていなくてもよく、断続的に設けられていてもよいし、ベース部材１０及びフレーム部材２０の四隅近傍で少なくとも三点において当接状態を作り出すことができれば、フレーム部材２０をベース部材１０に着脱自在にかつ安定的に取り付けることができる。
【００３５】
一方、このような構造を有する照明装置１を天井面Ｃに取り付ける場合は、まずベース部材１０が天井面Ｃに固定され、続いて実装基板４０やカバー部材３０等が取り付けられたフレーム部材２０が、取付ばね２４及び取付金具１４からなる取付構造を介してベース部材１０に取り付けられる。フレーム部材２０は取付ばねの復元力によりベース部材１０方向に引き上げられると、図４（ｂ）に示すように、最終的にフレーム部材２０の傾斜側面２２ａ、２２ｂの上端部が天井面Ｃに当接し、取付ばね２４の付勢力によりフレーム部材２０が天井面Ｃへと強く押し付けられて固定される。
【００３６】
フレーム部材２０の傾斜側面２２ａ、２２ｂの上端部が天井面Ｃに当接した状態においては、図４（ｂ）に示すように、ベース部材１０の垂直部１１ａ、１１ｂの端部１１１ａ、１１１ｂがフレーム部材２０の溝部２２２ａ、２２２ｂには当接しない。これは、フレーム部材２０の傾斜側面２２ａ、２２ｂの上端部から突出部２２１ａ、２２１ｂまでの垂直方向距離Ｌ１が、ベース部材１０の垂直部１１ａ、１１ｂの垂直方向長さＬ２よりも大きくなるように設計されているためである。
【００３７】
ここで、本実施形態では、フレーム部材２０の傾斜側面２２ａ、２２ｂの上端部から突出部２２１ａ、２２１ｂまでの垂直方向距離Ｌ１が、ベース部材１０の垂直部１１ａ、１１ｂの垂直方向長さＬ２よりも大きくなるように設計されているが、垂直方向距離Ｌ１と垂直方向長さＬ２とを略等しくするように設計し、フレーム部材２０の傾斜側面２２ａ、２２ｂの上端部が天井面Ｃに当接した状態において、ベース部材１０の垂直部１１ａ、１１ｂの端部１１１ａ、１１１ｂもフレーム部材２０の溝部２２２ａ、２２２ｂにちょうど当接するような構成としてもよい。すなわち、フレーム部材２０の傾斜側面２２ａ、２２ｂの上端部から突出部２２１ａ、２２１ｂまでの垂直方向距離Ｌ１が、ベース部材１０の垂直部１１ａ、１１ｂの垂直方向長さＬ２以上であれば、照明装置１を天井面Ｃに取り付けた場合に、フレーム部材２０の被当接部（溝部２２２ａ、２２２ｂ）とベース部材１０の当接部（垂直部１１ａ、１１ｂの端部１１１ａ、１１１ｂ）とが当接するかしないかに影響を受けることなく、フレーム部材２０の上端部が天井面Ｃに当接することとなる。
【００３８】
なお、照明装置１を天井面Ｃに取り付ける場合には、ベース部材１０の垂直部１１ａ、１１ｂの端部１１１ａ、１１１ｂがフレーム部材２０の溝部２２２ａ、２２２ｂには当接しないことがあるものの、ベース部材１０の垂直部１１ａ、１１ｂの端部１１１ａ、１１１ｂがベース部材１０の長手方向全長に亘って設けられており、フレーム部材２０の溝部２２２ａ、２２２ｂがフレーム部材２０の長手方向全長に亘って設けられていることにより、照明装置１内に侵入した埃や塵などが電源ユニット５０や光源部（実装基板４０やＬＥＤ４１、それらの配線等も含む）にまで侵入してしまうことをある程度防ぐことができる。
【００３９】
このように、本実施形態の照明装置１をレースウェイＲに取り付ける場合には、ベース部材１０の当接部（垂直部１１ａ、１１ｂの端部１１１ａ、１１１ｂ）とフレーム部材２０の被当接部（溝部２２２ａ、２２２ｂ）とが当接することによりフレーム部材２０がベース部材１０に安定的に装着され、その結果照明装置１を安定的にレースウェイＲに取り付けることができる。また、照明装置１を天井面Ｃに取り付ける場合には、フレーム部材２０の被当接部（溝部２２２ａ、２２２ｂ）とベース部材１０の当接部（垂直部１１ａ、１１ｂの端部１１１ａ、１１１ｂ）とが当接するかしないかに影響を受けることなく、フレーム部材２０の傾斜側面２２ａ、２２ｂの上端部が天井面Ｃに当接することにより、照明装置１を安定的に天井面Ｃに取り付けることができる。したがって、照明装置１は、天井面Ｃのみならず、レースウェイＲのような天井梁材にも安定的に取り付けることができる。
【００４０】
以上、本発明に係る照明装置について図面に基づいて説明してきたが、本発明は上記実施形態に限定されることはなく、種々の変更実施が可能である。照明装置の形状、ベース部材の形状、フレーム部材の形状、カバー部材の形状には様々なバリエーションが考えられる。
【００４１】
＜変形例＞
照明装置１Ａは、前述の照明装置１と比較すると、ベース部材１０Ａの形状とフレーム部材２０Ａの形状とが異なっている。具体的には、ベース部材１０Ａの垂直部１１Ａａ、１１Ａｂに、フレーム部材２０Ａ方向に突出するように第二突出部１１２Ａａ、１１２Ａｂが形成されている。この第二突出部１１２Ａａ、１１２Ａｂと垂直部１１Ａａ、１１Ａｂとの間に形成される第二溝部１１３Ａａ、１１３Ａｂは当接部の一例である。当接部となる第二溝部１１３Ａａ、１１３Ａｂは、ベース部材１０Ａの長手方向全長に亘って設けられている。
【００４２】
また、フレーム部材２０Ａの内側面、すなわち傾斜側面２２Ａａ、２２Ａｂの内側にはベース部材１０方向に突出するように垂直に第三突出部２２１Ａａ、２２１Ａｂが形成されている。第三突出部２２１Ａａ、２２１Ａｂの先端部は被当接部の一例である。第三突出部２２１Ａａ、２２１Ａｂはフレーム部材２０Ａの長手方向全長に亘って設けられている。
【００４３】
このような形状で当接部をベース部材１０Ａに、被当接部をフレーム部材２０Ａに設けても、前述の照明装置１と同様の効果を奏することができる。加えて、フレーム部材２０Ａに第三突出部２２１Ａａ、２２１Ａｂを垂直に立設することにより、ベース部材１０Ａの垂直部１１Ａａ、１１Ａｂの下端部がフレーム部材２０Ａの二つの第三突出部２２１Ａａ、２２１Ａｂ間に嵌合するような構造となるため、ベース部材１０Ａにフレーム部材２０Ａを取り付ける際のガイドとして第三突出部２２１Ａａ、２２１Ａｂを利用することができる。
【符号の説明】
【００４４】
１  照明装置
１０  ベース部材
１１ａ、１１ｂ  垂直部
１１１ａ、１１１ｂ  端部（当接部）
２０  フレーム部材
２２ａ、２２ｂ  傾斜側面
２２１ａ、２２１ｂ  突出部
２２２ａ、２２２ｂ  溝部（被当接部）
３０  カバー部材
４０  実装基板（光源部）
４１  ＬＥＤ
Ｃ  天井面
Ｒ  レースウェイ（天井梁材）
【図１】
2018049841.tif 000003
【図２】
2018049841.tif 000004
【図３】
2018049841.tif 000005
【図４】
2018049841.tif 000006
【図５】
2018049841.tif 000007